(57)【要約】【課題】省スペース化を図る共に美観に優れ、かつ受信品質を容易に改善できるアンテナ付き家具を提供する。【解決手段】テレビ台１０Ａは、天板１１、底板１２、側板１３及び背板１４により箱状に形成する。天板１１は、内部を中空に形成してアンテナ１６を収納する。アンテナ１６には、下側に支柱１７を設け、この支柱１７を天板１１の下面に設けられた回転軸受１８に回転可能に装着する。回転軸受１８から下方に突出させた支柱１７の先端部につまみ１９を設け、このつまみ１９を操作することにより、アンテナ１６を水平面内で任意の方向に回転できるようにする。そして、アンテナ１６の給電点に接続されている同軸ケーブルを天板１１の背面側から外部に導出し、テレビ台１０Ａに載置されるテレビ受像機のアンテナ端子に接続する。【選択図】      図１
2007282998.tif 000002
【特許請求の範囲】
【請求項１】
板状部材から成り、前記板状部材の内部にテレビ受信用のアンテナが収納されているアンテナ付き家具において、
前記板状部材は前記アンテナを外部から目視不可能な位置に収納し、前記アンテナは前記家具に設置されるテレビ受像機又はその他の電子機器に電磁的に影響を受けない位置に配置されていることを特徴とするアンテナ付き家具。
【請求項２】
請求項１に記載されたアンテナ付き家具であって、
前記アンテナは、該アンテナを収納する前記板状部材のうち前記テレビ受像機又はその他の電子機器が設置される側の外面から少なくとも１０ｃｍ以上離れた位置に収納されていることを特徴とするアンテナ付き家具。
【請求項３】
請求項１又は請求項２の何れかに記載されたアンテナ付き家具であって、
前記アンテナは、前記板状部材に着脱自在に収納されていることを特徴とするアンテナ付き家具。
【請求項４】
請求項１又は請求項２の何れかに記載されたアンテナ付き家具であって、
前記アンテナは、前記板状部材により形成される天板の内部に支柱を介して回転可能に収納され、前記支柱は外部から操作可能に構成されていることを特徴とするアンテナ付き家具。
【請求項５】
請求項１又は請求項２の何れかに記載されたアンテナ付き家具であって、
前記アンテナは前記板状部材の内部に複数収納され、各給電端子が前記板状部材に設けられる複数の外部端子にそれぞれ給電用ケーブルを介して接続されていることを特徴とするアンテナ付き家具。
【発明の詳細な説明】
【技術分野】
【０００１】
本発明は、例えば地上デジタル放送などの地上放送波受信用のアンテナを備えたアンテナ付き家具に関する。
【背景技術】
【０００２】
従来、ＴＶ放送としては地上アナログＴＶ放送（ＶＨＦ、ＵＨＦ）や衛星放送（ＣＳ／ＢＳ）が行なわれているが、更に近年では地上デジタルＴＶ放送が開始されている。地上デジタル放送は、ＵＨＦ帯の高い周波数帯域（４７０〜７７０ＭＨｚ）が使用され、また、デジタル放送の特徴から、ある程度の受信信号のＣＮ比が得られる地域であれば、小形な室内アンテナでもゴースト妨害のない良好な受信が可能である。
【０００３】
また、一般家庭で使用されるテレビ受像機は、テレビ台、ＡＶボード等の家具に載置したり収納している。上記家具は、同時にビデオデッキやＨＤＤレコーダ等を載置したり収納できるようになっている（例えば、特許文献１参照。）。
【特許文献１】実用新案登録第３０６８６００号公報
【発明の開示】
【発明が解決しようとする課題】
【０００４】
上記室内アンテナは、一般に指向性を有しているので、設置場所を変えることで受信条件を変化させて受信品質を改善している。しかし、設置場所が室内におけるスペースに制限されるため、最良の受信条件を得ることが困難であった。又、室内アンテナをテレビ受像機の脇などに設置する場合、アンテナ本体を回転させて受信品質を改善することができるが、最良受信の方向がテレビ受像機の向きと同じにならず、美観を損ねるという問題があった。
【０００５】
本発明は上記の課題を解決するためになされたもので、テレビ受像機を収納する家具にテレビ受信用のアンテナを一体に構成することで省スペース化を図る共に美観に優れ、かつ受信品質を容易に改善できるアンテナ付き家具を提供することを目的とする。
【課題を解決するための手段】
【０００６】
第１の発明は、板状部材から成り、前記板状部材の内部にテレビ受信用のアンテナが収納されているアンテナ付き家具において、前記板状部材は前記アンテナを外部から目視不可能な位置に収納し、前記アンテナは前記家具に設置されるテレビ受像機又はその他の電子機器に電磁的に影響を受けない位置に配置されていることを特徴とする。
【０００７】
第２の発明は、前記第１の発明に係るアンテナ付き家具であって、前記アンテナは、該アンテナを収納する前記板状部材のうち前記テレビ受像機又はその他の電子機器が設置される側の外面から少なくとも１０ｃｍ以上離れた位置に収納されていることを特徴とする。
【０００８】
第３の発明は、前記第１又は第２の発明に係るアンテナ付き家具であって、前記アンテナは、前記板状部材に着脱自在に収納されていることを特徴とする。
【０００９】
第４の発明は、前記第１又は第２の発明に係るアンテナ付き家具であって、前記アンテナは、前記板状部材により形成される天板の内部に支柱を介して回転可能に収納され、前記支柱は外部から操作可能に構成されていることを特徴とする。
【００１０】
第５の発明は、前記第１又は第２の発明に係るアンテナ付き家具であって、前記アンテナは、前記板状部材の内部に複数収納され、各給電端子が前記板状部材に設けられる複数の外部端子にそれぞれ給電用ケーブルを介して接続されていることを特徴とする。
【発明の効果】
【００１１】
本発明によれば、テレビ受像機を収納する家具にテレビ受信用のアンテナを備えることで省スペース化を図ることができ、且つアンテナの視認が遮蔽されるので、家具としてのテレビ台の美観を保つことができる。また、家具に収納されるテレビ受像機等の電子機器から離れた位置にアンテナを配置することによって、電子機器からの電磁的な影響を軽減することができる。  
また、アンテナを着脱自在に収納することにより、良好な受信品質が得られる位置にアンテナを設置することができる。
【００１２】
更に、天板の内部にアンテナを回転可能に設け、外部から操作可能に構成することにより、アンテナの指向方向を良好な受信品質が得られる方向にセットすることができる。
【００１３】
また、板状部材で形成された複数の構造体の内部にそれぞれアンテナを収納し、各アンテナの給電端子に接続された同軸ケーブルを家具に設けられた複数の外部端子にそれぞれ接続することにより、電波の受信状況に応じて任意の外部端子を選択でき、電波の受信状況が良好なアンテナの外部端子を選択してテレビ受像機に接続することができる。
【発明を実施するための最良の形態】
【００１４】
以下、図面を参照して本発明の実施形態を説明する。
【００１５】
（第１実施形態）
図１は本発明の第１実施形態に係るアンテナ付き家具の斜視図である。なお、本実施形態では、テレビ台に実施した場合の構成例を示している。
【００１６】
図１において、１０Ａはテレビ台で、例えば天板１１、底板１２、側板１３及び背板１４等の板状部材により箱状に形成される。この場合、テレビ台１０Ａの前面は開放状態に形成され、その内部に例えばビデオデッキやＨＤＤレコーダ等の電子機器を収納できるようになっている。
【００１７】
上記天板１１は、内部が中空に形成されており、例えば上面のカバー１５がヒンジ（図示せず）により開閉可能に設けられる。そして、上記天板１１の内部にアンテナ１６が収納される。上記アンテナ１６には支柱１７が設けられ、この支柱１７が天板１１の下面に設けられた回転軸受１８に回転可能に装着される。上記支柱１７は、回転軸受１８から下方に突出して設けられ、その突出先端部につまみ１９が設けられる。すなわち、天板１１の下面から下方に突出させた支柱１７のつまみ１９を操作することにより、アンテナ１６を矢印で示すように水平面内で回転できるようになっている。
【００１８】
また、上記アンテナ１６には、図示しないが給電点に給電用の同軸ケーブルが接続されている。この同軸ケーブルは、天板１１の背面側に設けた透孔（図示せず）から外部に導出され、テレビ台１０Ａに載置されるテレビ受像機のアンテナ端子に接続される。
【００１９】
上記のように構成されたテレビ台１０Ａは、天板１１の下面から突出させたつまみ１９を操作してアンテナ１６を回転できるようになっているので、アンテナ１６の指向性の方向を任意に調整することが可能である。従って、テレビ受像機によりテレビ電波を受信している状態で、つまみ１９を操作してアンテナ１６の方向を調整することにより、受信状態を最適な状態に設定することができる。
【００２０】
また、天板１１の内部にアンテナ１６を収納することにより、省スペース化を図ることができ、且つアンテナ１６の視認が遮蔽されるので、家具としてのテレビ台の美観を保つことができる。アンテナ１６としては例えば高利得な単一指向性の八木式アンテナなどを用いることができる。
【００２１】
また、テレビ台１０Ａにアンテナ１６を備えることにより、室内でアンテナケーブルを引き回さずに済むので、美観が向上し、掃除もしやすい。
【００２２】
更に、室内のレイアウト変更時でもアンテナの配線を気にする必要がないので、テレビ台の設置に自由度が広がる。
【００２３】
また、テレビ受像機をテレビ台に容易に設置でき、電源さえ確保できれば、どこでも直ぐにクリアな映像や音声を視聴することができる。
【００２４】
（第２実施形態）
次に本発明の第２実施形態について説明する。  
図２は、本発明の第２実施形態に係るテレビ台１０Ｂを一部（背板部分）分解して示す斜視図である。
【００２５】
この第２実施形態に係るテレビ台１０Ｂは、天板１１、底板１２、側板１３及び背板１４等により箱状に形成される。テレビ台１０Ｂの前面は開放状態に形成され、その内部に例えばビデオデッキやＨＤＤレコーダ等の電子機器を収納できるようになっている。
【００２６】
また、上記テレビ台１０Ｂは、更に天板１１の上方部位にも背板２１を設けている。背板２１は、枠２２と、この枠２２の前面側を覆う前面板２３からなり、枠２２内にアンテナ１６を収納している。
【００２７】
そして、上記アンテナ１６の給電端子に接続された同軸ケーブルは、テレビ台１０Ｂに載置されるテレビ受像機のアンテナ端子に接続される。
【００２８】
上記実施形態においては、平面状のアンテナで且つ面に対して垂直方向に指向性のあるアンテナ、例えば公開特許公報２００５−２４４９２６号にあるようなアンテナを用いることができる。
【００２９】
上記第２実施形態によれば、背板２１の内部にアンテナ１６を収納することによって省スペース化を図ることができ、且つアンテナ１６の視認が遮蔽されるので、家具としてのテレビ台の美観を保つことができる。
【００３０】
また、テレビ台にアンテナ１６を備えることにより、第１実施形態と同様に
（１）室内でアンテナケーブルを引き回さずに済み、美観が向上し、掃除もしやすい。
【００３１】
（２）室内のレイアウト変更時でもアンテナの配線を気にする必要がなく、テレビ台の設置に自由度が広がる。
【００３２】
（３）テレビ受像機をテレビ台に容易に設置でき、電源さえ確保できれば、どこでも直ぐにクリアな映像や音声を視聴できる。
【００３３】
等の効果を得ることができる。
【００３４】
（第３実施形態）
次に本発明の第３実施形態について説明する。  
図３は、本発明の第３実施形態に係るテレビ台１０Ｃの構成を示す斜視図である。
【００３５】
この第３実施形態に係るテレビ台１０Ｃは、天板１１、底板１２、側板１３及び背板１４等により箱状に形成され、天板１１の上面中央部にテレビ受像機２５が載置される。上記テレビ台１０Ｃの横幅は、テレビ受像機２５の横幅に比して十分に大きく形成される。上記テレビ台１０Ｃの天板１１には、上面両側にヒンジ（図示せず）によって開閉可能なカバー３１ａ、カバー３１ｂが設けられ、カバー３１ａ、カバー３１ｂ部分における天板１１の内部にアンテナ１６を任意に装着できるようになっている。上記カバー３１ａ、カバー３１ｂは、テレビ台１０Ｃの中央に載置されるテレビ受像機２５より側方に位置するように設けられる。また、図示しないがアンテナ１６の給電端子に接続された同軸ケーブルは、例えば天板１１に設けられる透孔を介してテレビ台１０Ｃの背面側に導出され、テレビ受像機２５のアンテナ端子に接続される。
【００３６】
上記のようにテレビ台１０Ｃの天板１１にカバー３１ａ、カバー３１ｂが開閉可能に設けられ、アンテナ１６をマジックテープ（登録商標）（図示せず）もしくは樹脂製クランプ等（図示せず）により任意に着脱できるようになっている。
【００３７】
上記の構成において、テレビ台１０Ｃの天板１１にアンテナ１６を装着してテレビ放送電波を受信し、受信状態を確認する。受信状態が悪い場合には、アンテナ１６を他の場所に移動させて受信状態を確認し、最良の受信状態が得られる場所にアンテナ１６を配置する。
【００３８】
上記第３実施形態によれば、テレビ台１０Ｃの複数の個所にアンテナ１６を任意に設置できるようにしているので、受信状態の良好に場所にアンテナ１６を設置することができる。また、テレビ台１０Ｃを横長に形成し、天板１１の両側、すなわちテレビ受像機２５から離れた場所にアンテナ１６を設置できるようにしているので、テレビ受像機２５から比較的に電磁的に影響を受けない位置にアンテナ１６を配置することが可能である。
【００３９】
更に、天板１１にアンテナ１６を収納することによって省スペース化を図ることができ、且つアンテナ１６の視認が遮蔽されるので、家具としてのテレビ台の美観を保つことができる。
【００４０】
また、テレビ台にアンテナ１６を備えることにより、上記各実施形態と同様に
（１）室内でアンテナケーブルを引き回さずに済み、美観が向上し、掃除もしやすい。
【００４１】
（２）室内のレイアウト変更時でもアンテナの配線を気にする必要がなく、テレビ台の設置に自由度が広がる。
【００４２】
（３）テレビ受像機をテレビ台に容易に設置でき、電源さえ確保できれば、どこでも直ぐにクリアな映像や音声を視聴できる。
【００４３】
等の効果を得ることができる。
【００４４】
（第４実施形態）
次に本発明の第４実施形態について説明する。  
図４は、本発明の第４実施形態に係るテレビ台１０Ｄの構成を示す斜視図である。
【００４５】
この第４実施形態に係るテレビ台１０Ｄは、天板１１、底板１２、側板１３ａ、側板１３ｂ及び背板１４等により箱状に形成され、天板１１の上面中央部にテレビ受像機２５が載置される。上記テレビ台１０Ｄの横幅は、テレビ受像機２５の横幅に比して十分に大きく形成される。上記テレビ台１０Ｄの両側面の側板１３ａ、側板１３ｂには、背面側にヒンジ（図示せず）によって開閉可能なカバー３２ａ、カバー３２ｂが設けられ、カバー３２ａ、カバー３２ｂ部分における側板１３ａ、側板１３ｂの内部にアンテナ１６を任意に装着できるようになっている。また、図示しないがアンテナ１６の給電端子に接続された同軸ケーブルは、例えば側板１３ａ、側板１３ｂの背面側に設けられる透孔を介してテレビ台１０Ｄの背面側に導出され、テレビ受像機２５のアンテナ端子に接続される。
【００４６】
上記のようにテレビ台１０Ｄの側板１３ａ、側板１３ｂにはカバー３２ａ、カバー３２ｂが開閉可能に設けられ、アンテナ１６をマジックテープ（登録商標）（図示せず）もしくは樹脂製クランプ等（図示せず）により任意に着脱できるようになっている。
【００４７】
上記の構成において、例えばテレビ台１０Ｄの側板１３ａの内部にアンテナ１６を装着してテレビ放送電波を受信し、受信状態を確認する。受信状態が悪い場合には、アンテナ１６をもう一方の側板１３ｂの内部に移動させて受信状態を確認し、どちらか最良の受信状態が得られる場所にアンテナ１６を配置する。
【００４８】
上記第４実施形態によれば、テレビ台１０Ｄの複数の個所にアンテナ１６を任意に設置できるようにしているので、受信状態の良好な場所にアンテナ１６を設置することができる。また、テレビ台１０Ｄを横長に形成し、側板１３ａ、側板１３ｂの内部、すなわちテレビ受像機２５から離れた場所にアンテナ１６を設置できるようにしているので、テレビ受像機２５から比較的に電磁的に影響を受けない位置にアンテナ１６を配置することが可能である。
【００４９】
更に、側板１３ａ、側板１３ｂの内部にアンテナ１６を収納することによって省スペース化を図ることができ、且つアンテナ１６の視認が遮蔽されるので、家具としてのテレビ台の美観を保つことができる。
【００５０】
上記実施形態においては、上記第２実施形態と同様に平面状のアンテナで且つ面に対して垂直方向に指向性のあるアンテナ、例えば公開特許公報２００５−２４４９２６号にあるようなアンテナを用いることができる。
【００５１】
また、テレビ台にアンテナ１６を備えることにより、上記各実施形態と同様に
（１）室内でアンテナケーブルを引き回さずに済み、美観が向上し、掃除もしやすい。
【００５２】
（２）室内のレイアウト変更時でもアンテナの配線を気にする必要がなく、テレビ台の設置に自由度が広がる。
【００５３】
（３）テレビ受像機をテレビ台に容易に設置でき、電源さえ確保できれば、どこでも直ぐにクリアな映像や音声を視聴できる。
【００５４】
等の効果を得ることができる。
【００５５】
（第５実施形態）
次に本発明の第５実施形態について説明する。  
図５は本発明の第５実施形態に係るテレビ台１０Ｅの構成を示すもので、（ａ）は前面側から見た斜視図、（ｂ）は背面側から見た要部の斜視図である。
【００５６】
この第５実施形態に係るテレビ台１０Ｅは、図５（ａ）に示すように天板１１、底板１２、側板１３及び背板１４等により箱状に形成され、天板１１上にテレビ受像機２５が載置される。テレビ台１０Ｅの前面は開放状態に形成され、その内部に例えばビデオデッキやＨＤＤレコーダ等の電子機器を収納できるようになっている。
【００５７】
上記天板１１及び底板１２は、内部にアンテナ収納部を形成し、その上面を例えば蓋４１、蓋４２により覆っている。上記天板１１及び底板１２のアンテナ収納部には、それぞれアンテナ１６ａ、アンテナ１６ｂが収納される。上記天板１１及び底板１２の高さｈ１、ｈ２は、アンテナ１６ａ、アンテナ１６ｂと蓋４１、蓋４２の上面との間隔ｄが１０ｃｍ以上となるように設定される。すなわち、テレビ台１０Ｅに収納されるテレビ受像機２５やビデオデッキ等の電子機器から電磁的な影響が比較的に受けない電子機器から少なくとも１０ｃｍ以上離れた位置となるようにアンテナ１６ａ、アンテナ１６ｂを収納している。
【００５８】
また、テレビ台１０Ｅの背面側には、図５（ａ）、（ｂ）に示すように複数例えば２個の外部端子（接栓）４３ａ、外部端子（接栓）４３ｂが設けられる。上記外部端子４３ａには、天板１１に収納されたアンテナ１６ａの給電点の信号が同軸ケーブル３４ａを介して接続され、外部端子４３ｂには、底板１２に収納されたアンテナ１６ｂの給電点の信号が同軸ケーブル３４ｂを介して接続される。
【００５９】
上記外部端子４３ａ、外部端子４３ｂには、任意の端子に接栓を介して同軸ケーブル（図示せず）が装着され、テレビ受像機２５のアンテナ接続端子に接続される。
【００６０】
上記の構成において、テレビ受像機２５に接続されている同軸ケーブルの先端に設けられている接栓を例えば外部端子４３ａに接続し、受信状態を確認する。受信状態が悪い場合には、同軸ケーブルを外部端子４３ａから外して他の外部端子４３ｂに接続して受信状態を確認する。上記のようにして最良の受信状態が得られる外部端子４３ａ、外部端子４３ｂを選択してテレビ受像機２５に接続する。
【００６１】
上記第５実施形態によれば、テレビ台１０Ｅに複数のアンテナ１６ａ、アンテナ１６ｂを設置し、外部端子４３ａ、外部端子４３ｂにより任意に選択できるように構成しているので、電波の受信状況に応じて任意のアンテナ１６ａ、アンテナ１６ｂを選択してテレビ受像機２５に接続することができる。また、設定後に電波の受信状況か変化して受信画像の品質が劣化した場合においても、他のアンテナに切替えて受信状態を良好な状態に保持することが可能である。
【００６２】
また、本実施形態においてはアンテナ１６ａ、アンテナ１６ｂをテレビ受像機２５やビデオデッキ等の電子機器から電磁的な影響が比較的に受けない、電子機器から少なくとも１０ｃｍ以上離れた位置となるように収納して、電子機器からの電磁的な影響を少なくしている。
【００６３】
更に、天板１１や底板１２の内部にアンテナ１６ａ、アンテナ１６ｂを収納することによって省スペース化を図ることができ、且つアンテナ１６ａ、アンテナ１６ｂの視認が遮蔽されるので、家具としてのテレビ台の美観を保つことができる。
【００６４】
なお、上記第５実施形態では、２つのアンテナ１６ａ、アンテナ１６ｂを設けた場合について示したが、更に多数のアンテナを設けても良い。  
また、上記第第５実施形態では、天板１１にアンテナ１６ａを収納し、底板１２にアンテナ１６ｂを収納した場合について説明したが、その他、上記説明した効果が得られる範囲で収納場所を選定することを妨げない。
【００６５】
また、テレビ台にアンテナ１６を備えることにより、上記各実施形態と同様に
（１）室内でアンテナケーブルを引き回さずに済み、美観が向上し、掃除もしやすい。
【００６６】
（２）室内のレイアウト変更時でもアンテナの配線を気にする必要がなく、テレビ台の設置に自由度が広がる。
【００６７】
（３）テレビ受像機をテレビ台に容易に設置でき、電源さえ確保できれば、どこでも直ぐにクリアな映像や音声を視聴できる。
【００６８】
等の効果を得ることができる。
【００６９】
なお、第１〜第５実施形態においてテレビ台を構成する部材は、木材や合成樹脂などのなるべく電波吸収の少ない素材を用いて家具内部に収容されたアンテナの受信電界強度の減衰を少なくする。
【００７０】
また、本発明は、上記実施形態そのままに限定されるものではなく、実施段階ではその要旨を逸脱しない範囲で構成要素を変形して具体化できるものである。
【図面の簡単な説明】
【００７１】
【図１】本発明の第１実施形態に係るアンテナ付き家具の斜視図である。
【図２】本発明の第２実施形態に係るアンテナ付き家具を一部分解して示す斜視図である。
【図３】本発明の第３実施形態に係るアンテナ付き家具の斜視図である。
【図４】本発明の第４実施形態に係るアンテナ付き家具の斜視図である。
【図５】本発明の第５実施形態に係るアンテナ付き家具の構成を示すもので、（ａ）は前面側から見た斜視図、（ｂ）は背面側から見た要部の斜視図である。
【符号の説明】
【００７２】
１０Ａ…第１実施形態に係るテレビ台、１０Ｂ…第２実施形態に係るテレビ台、１０Ｃ…第３実施形態に係るテレビ台、１０Ｄ…第４実施形態に係るテレビ台、１０Ｅ…第５実施形態に係るテレビ台、１１…天板、１２…底板、１３、１３ａ、１３ｂ…側板、１４…背板、１５…カバー、１６、１６ａ、１６ｂ…アンテナ、１７…支柱、１８…回転軸受、１９…つまみ、２１…背板、２２…枠、２３…前面板、２５…テレビ受像機、３１ａ、３１ｂ、３２ａ、３２ｂ…カバー、３４ａ、３４ｂ…同軸ケーブル、４１、４２…蓋、４３ａ、４３ｂ…外部端子
【図１】
2007282998.tif 000003
【図２】
2007282998.tif 000004
【図３】
2007282998.tif 000005
【図４】
2007282998.tif 000006
【図５】
2007282998.tif 000007